(57)【要約】【課題】各種レーベル層付きディスクに対して適切にレーベル情報記録処理が行えるレーベル情報記録装置を提供することを課題とする。【解決手段】レーベル層へのレーベル情報記録時に記録メディアの種別に応じて第１及び第２レーザー光源１ａ及び２ａをそれぞれ駆動する第１及び第２レーザードライバ４２及び４３の所定の一方を選択してその選択されたレーザードライバからレーベル情報記録に基づく駆動パルスを発生させ、この駆動パルスにより駆動されるレーザー光源１ａあるいは２ａから出射されるレーザー光を用いて記録メディアのレーベル層への書き込みを行うようにしている。【選択図】図１
2006196062.tif 000002
【特許請求の範囲】
【請求項１】
互いに相違する第１及び第２波長の各レーザー光をそれぞれ発光する第１及び第２レーザー光源を備える光ピックアップを備え、光ピックアップにより前記第１及び第２レーザー光の所定の一方のレーザー光をレーベル情報が可視画像により書き込み可能なレーベル層を備える記録メディアに照射することにより前記レーベル層へのレーベル情報記録を行うレーベル情報記録装置であって、レーベル層へのレーベル情報記録時に記録メディアの種別に応じて第１及び第２レーザー光源をそれぞれ駆動する第１及び第２レーザードライバの所定の一方を選択してそのレーザードライバからレーベル情報記録に基づく駆動パルスを発生させ、この駆動パルスにより駆動されるレーザー光源から出射されるレーザー光を用いて記録メディアのレーベル層への書き込みを行うことを特徴とするレーベル情報記録装置。
【請求項２】
記録メディアにはプリフォーマットとしてウォブルがあり、このウォブルによって記録される記録メディアコードに基づいて記録メディアの種別を判別し、この判別に応じて第１及び第２レーザードライバの所定の一方を選択することを特徴とする請求項１記載のレーベル情報記録装置。
【請求項３】
記録メディアの記録層への書き込みに適合するレーザー光とは相違するレーザー光を記録メディアの記録層側からレーベル層に合焦させるべくフォーカスサーチをして前記レーベル層を検出することを特徴とする請求項１記載のレーベル情報記録装置。
【請求項４】
記録メディアの記録層とレーベル層との距離によりレーベル層付き記録メディアの種別を判断し、この判断により記録層とレーベル層とがデュアルである記録メディアと識別された際に、記録メディアの記録層への書き込みに適合するレーザー光とは相違するレーザー光を記録メディアの記録層側からレーベル層に照射してレーベル層へのレーベル情報記録を行うことを特徴とする請求項１記載のレーベル情報記録装置。
【請求項５】
記録メディアの記録層とレーベル層との距離によりレーベル層付き記録メディアの種別を判断し、この判断により記録層とレーベル層とがシングルである記録メディアと識別された際に、記録メディアを裏返すことを促す表示をし、記録メディアが裏返されたことを確認して記録メディアの記録層側とは相違するレーベル層側から光ピックアップにより第１及び第２レーザー光の所定の一方のレーザー光をレーベル層に照射してレーベル層へのレーベル情報記録を行うことを特徴とする請求項１記載のレーベル情報記録装置。
【請求項６】
レーベル層へのレーベル情報記録時に記録メディアの判別により記録層への書き込みに適合するレーザー光を使用するべく第１及び第２レーザードライバの所定の一方を選択することを特徴とする請求項５記載のレーベル情報記録装置。
【発明の詳細な説明】
【技術分野】
【０００１】
本発明は、レーザー光の照射によりレーベル情報を可視画像により記録可能なレーベル層を備える記録メディアの前記レーベル層へのレーベル情報記録を行うレーベル情報記録装置に関し、特に、互いに相違する第１及び第２波長の各レーザー光を出射する光ピックアップを備える記録メディアドライブにおいてレーベル情報記録を行うレーベル情報記録装置に関する。
【背景技術】
【０００２】
現在、ＤＶＤ(Digital Versatile Disc)の記録再生を行うＤＶＤドライブ装置が普及しているが、このＤＶＤドライブ装置においては対象記録メディアとしてＤＶＤの他にＣＤ（Compact Disc）との互換を確保している。これらのＤＶＤドライブ装置に使用する光ピックアップとしては、ＤＶＤの記録密度に適した波長のレーザービームを発光するレーザーダイオード及びＣＤの記録密度に適した波長のレーザービームを発光するレーザーダイオードのレーザー発光波長の異なる２種類のレーザー光源を用意し、扱うディスクの記録密度に応じて使用する光源の切り換えを行うことにより単一の光ピックアップによって記録密度が異なるＤＶＤ及びＣＤに対応させている。
【０００３】
ところで、ＤＶＤとＣＤとでは、記録層までの透明基板の厚みがそれぞれ０．６ｍｍと１．１ｍｍであり略１：２と大きく異なり、ＤＶＤ及びＣＤ対応の光ピックアップにおいては、各ディスクにそれぞれ適合される光学特性となるように対物レンズに要求されるＮＡ（numerical aperture）が異なる。その為、単一の対物レンズによりＤＶＤ及びＣＤにそれぞれ対応させる場合、それぞれに適した各波長のレーザービームに対してそれぞれ所望のＮＡとして作用する対物レンズを用いることで実現される。
【０００４】
ところで、ディスクに記録した内容が把握できるようにその内容に則ったレーベル情報をディスクに表示することが行われる。
【０００５】
レーベル情報をディスクに表示するには、レーベル情報を印刷したり、手書きされることにより行われることが多かったが、最近、ディスクに光ピックアップにより照射されるレーザ光により感応されるレーベル層を設けてディスクにレーベル情報を可視画像により記録する技術が開発されている(例えば、特許文献１参照)。
【特許文献１】特開２００２−２０３３２１号公報
【発明の開示】
【発明が解決しようとする課題】
【０００６】
ところで、ディスクにレーベル情報の可視画像を記録する際には、ディスクを裏返してレーベル層側から光ピックアップから出射されるレーザー光を前記レーベル層に照射することを想定していた。その為、ディスクを裏返す行為を必要とした。
【０００７】
また、レーベル情報の記録にディスクの裏返しが必要であると、ディスクの記録層へのメイン情報の記録とレーベル情報の記録を一区切りのデータごとに時分割に行ったり、同時に行うことが出来ず、メイン情報記録とレーベル情報記録とのマッチング、レーベル情報記録作業の効率及び時間的に不利であった。その為、ディスクの裏返しを行わずに、記録層側からレーザー光をレーベル層に照射してレーベル層へのレーベル情報記録を可能にしたい要求がある。
【０００８】
また、先述の特許文献１に示されるレーベル情報記録装置の他に別の規格のレーベル情
報記録装置が提案されており、更に、先の要求に応えるレーベル情報記録装置が実現されると、種々の相違する規格のレーベル情報記録装置が乱立されることが予想される。
【０００９】
このような状況になった場合、種々の方式のレーベル層付きディスクが混在し、レーベル情報記録装置においては、各種レーベル層付きディスクに対して適切にレーベル情報記録処理が行えるようにする必要がある。
【００１０】
本発明は、記録層側からレーザー光をレーベル層に照射してレーベル層へのレーベル情報記録を可能にするレーベル情報記録装置を提供すると共に、各種レーベル層付きディスクに対して適切にレーベル情報記録処理が行えるレーベル情報記録装置を提供することを課題とする。
【課題を解決するための手段】
【００１１】
請求項１に係る発明は、レーベル層へのレーベル情報記録時に記録メディアの種別に応じて第１及び第２レーザー光源をそれぞれ駆動する第１及び第２レーザードライバの所定の一方を選択してその選択されたレーザードライバからレーベル情報記録に基づく駆動パルスを発生させ、この駆動パルスにより駆動されるレーザー光源から出射されるレーザー光を用いて記録メディアのレーベル層への書き込みを行うようにしている。
【００１２】
請求項２に係る発明では、ウォブルによって記録される記録メディアコードに基づいて記録メディアの種別を判別し、この判別に応じて第１及び第２レーザードライバの所定の一方を選択し、判別された記録メディアのレーベル層の感応（感光、感熱）に適した波長のレーザー光により前記レーベル層への書き込みを行うようにしている。
【００１３】
請求項３に係る発明では、記録メディアの記録層への書き込みに適合するレーザー光と相違するレーザー光を記録メディアの記録層側からレーベル層に合焦させるべくフォーカスサーチをして前記レーベル層を検出するようにしている。記録層への書き込みに使用する波長のレーザー光の場合、記録層で感応する波長であることからこの波長のレーザー光より記録層への書き込みに使用しない波長のレーザー光の方が記録層を透過する光量が多くなることが期待でき、フォーカスサーチに有利である。
【００１４】
請求項４に係る発明では、記録メディアの記録層とレーベル層との距離によりレーベル層付き記録メディアの種別を判断し、この判断により記録層とレーベル層とがデュアルである記録メディアと識別された際に、記録メディアの記録層への書き込みに適合するレーザー光とは相違するレーザー光を記録メディアの記録層側からレーベル層に照射してレーベル層へのレーベル情報記録を行うようにしている。デュアルである記録メディアの場合、記録層側からレーベル層にレーザー光を照射することを想定しているので、記録層への書き込みに適合するレーザー光とは相違する波長のレーザー光を利用する。
【００１５】
請求項５に係る発明では、記録メディアの記録層とレーベル層との距離によりレーベル層付き記録メディアの種別を判断し、この判断により記録層とレーベル層とがシングルである記録メディアと識別された際に、記録メディアを裏返すことを促す表示をし、記録メディアが裏返されたことを確認して記録メディアの記録層側とは相違するレーベル層側から光ピックアップにより第１及び第２レーザー光の所定の一方のレーザー光をレーベル層に照射してレーベル層へのレーベル情報記録を行うようにしている。
【００１６】
請求項６に係る発明では、レーベル層へのレーベル情報記録時に記録メディアの判別により記録層への書き込みに適合するレーザー光を使用するべく第１及び第２レーザードライバの所定の一方を選択し、レーベル層を感応させるのに適していると予想される波長のレーザー光を使用するようにしている。
【発明の効果】
【００１７】
本発明に依れば、記録メディアのレーベル層への書き込みに第１レーザー光及び第２レーザー光のどちらでも選択的に使用可能としているので、レーベル層を感応させるのに適している波長のレーザー光を選択してレーベル情報記録に用いることが出来る。
【００１８】
また、記録メディアコードに基づいて記録メディアの種別を判別しているので、確実に記録メディアのレーベル層を感応させるのに適している波長のレーザー光により前記レーベル層への書き込みを行うことが出来る。
【００１９】
記録層への書き込みに適合するレーザー光と相違するレーザー光を記録メディアの記録層側からレーベル層を検出するようにしているので、記録層を透過する光量が確保され、記録層側からレーベル層を検出するのに有利である。
【００２０】
デュアルである記録メディアを識別し、デュアルである記録メディアの場合、記録層への書き込みに適合するレーザー光とは相違する波長のレーザー光を利用して記録層側からレーベル層にレーザー光を照射するので、ディスクを裏返すことなくレーベル情報記録が行えると共に、第１及び第２レーザー光源を同時に駆動することにより信号記録あるいは信号再生と同時にレーベル情報の記録を行うことを可能とし得る。
【００２１】
シングルである記録メディアを識別し、シングルである記録メディアの場合、記録メディアを裏返すことを促す表示し、記録メディアが裏返されたことを確認して記録メディアの記録層側とは相違するレーベル層側からレーベル情報の記録を行うようにしているので、シングルである記録メディアに確実にレーベル情報の記録が行える。この場合、レーベル層へのレーベル情報記録時に記録メディアの判別により記録層への書き込みに適合するレーザー光を使用するので、レーベル層を感応させるのに適していると予想される波長のレーザー光が使用されることになり、レーベル情報の記録が効果的に行える可能性が高い。
【実施例】
【００２２】
図１は本発明の一実施例を示すＤＶＤ及びＣＤの記録再生可能な光学ディスクドライブのレーベル情報記録装置のブロック図である。
【００２３】
図１のレーベル情報記録装置において、光ピックアップはＤＶＤ及びＣＤに対応する構成となっており、ＤＶＤに適した赤色波長帯６４５ｎｍ〜６７５ｎｍの第１波長、例えば６５０ｎｍのレーザー光を発光する第１レーザーダイオード１ａから構成されるレーザーユニット１と、ＣＤに適した赤外波長帯７６５ｎｍ〜８０５ｎｍの第２波長、例えば７８０ｎｍのレーザー光を発光する第２レーザーダイオード２ａを備える受発光ユニット２とを備えている。
【００２４】
受発光ユニット２は、第２レーザーダイオード２ａと共に、ディスクにより反射される第２レーザー光の反射光を受光する光検出器３とが同一パッケージ内に収められており、このパッケージの窓に第２レーザー光の反射光を第２レーザーダイオード２ａから発光される第２レーザー光の光路から分離させて前記光検出器３に導く光路分離を行う回折格子が形成された光路分離素子となるホログラム素子４が設置されている。光路分離用の回折格子はホログラム素子４のディスク側の面に形成されており、このホログラム素子４の第２レーザーダイオード２ａ側の面にはトラッキング制御に用いられる３ビームに分離する回折格子も形成されている。
【００２５】
レーザーユニット１の第１レーザーダイオード１ａにより発光される第１波長の第１レ
ーザー光は、回折格子６によりトラッキング制御に使用される±１次回折光を形成するべく回折され、その後、１／２波長板７により偏光方向がディスクの透明基板における複屈折が少なくなる方向に調整されて偏光プリズム８の偏光フィルタ面８ａに透過方向から供給される。この偏光フィルタ面８ａは１／２波長板７により調整された偏光方向の第１レーザー光を透過するような膜特性に設定され、その為、第１レーザー光は偏光プリズム８の偏光フィルタ面８ａを透過し、コリメータレンズ９を介して平行光に変換された後、平行平板型のビームスプリッタ１０に透過方向から供給される。
【００２６】
このビームスプリッタ１０はレーザーユニット１と受発光ユニット２とを別光路に配置する役割を担っており、受発光ユニット２からの第２レーザー光を反射する反射面となるビームスプリッタ１０のフィルタ面１０ａは波長選択性のあるダイクロイックフィルタ特性を有し、６５０ｎｍの第１レーザー光が略全透過であると共に、７８０ｎｍの第２レーザー光が略全反射である反射・透過コートが施されている。
【００２７】
その為、第１レーザーダイオード１ａにより発光される第１レーザー光はビームスプリッタ１０を透過して立上げミラー１１による反射により光軸が直角に折曲され、その後、６５０ｎｍの第１レーザー光に対してのみ有効に作用する波長選択性のある１／４波長板１２を介して対物レンズ１３に入射され、該対物レンズ１３により収束されてディスクＤに照射される。
【００２８】
ディスクＤにより変調されて反射された第１レーザー光は対物レンズ１３に戻り、来た光路を経由してビームスプリッタ１０を透過し、コリメータレンズ９を介して偏光プリズム８に戻される。
【００２９】
この偏光プリズム８に戻される第１レーザー光は、第１レーザー光に対してのみ有効に作用する波長選択性のある１／４波長板１２をディスクＤへの往路と復路で２度通過するので、偏光方向が１／２波長回転されている。その為、ディスクＤへの往路ではｐ偏光であった第１レーザー光がｓ偏光となって偏光プリズム８に入射される。その為、前記偏光プリズム８に戻された第１レーザー光は、偏光フィルタ面８ａにより反射され、フォーカスエラー成分を発生させるための非点収差成分を付与するアナモフィックレンズ１４を介して光検出器１５に導かれる。
【００３０】
前記光検出器１５は、ディスクＤにより反射された第１レーザー光を複数の受光領域に分割された受光面に受光して、ＤＶＤの記録信号、フォーカシング制御信号及びトラッキング制御信号、あるいはチルト制御信号を生成するのに必要な各種受光出力を前記複数の各受光領域から発生する。フロントエンド処理回路２１は、それらの受光領域の各受光出力を演算処理してＤＶＤの記録信号、フォーカシング制御信号及びトラッキング制御信号、あるいはチルト制御信号を生成する。
【００３１】
一方、受発光ユニット２の第２レーザーダイオード２ａから発光される第２レーザー光は、ホログラム素子４を介して３ビームに分離されて受発光ユニット２から出射され、ダイバージェントレンズ１６により拡がり角が調整された後、更に液晶レンズ１７、１／２波長板１８を介してビームスプリッタ１０のフィルタ面１０ａに照射され光軸が曲げられる。該ビームスプリッタ１０のフィルタ面１０ａにより曲げられた第２レーザー光は、更に立ち上げミラー１１により反射されてディスク面に対して光軸が垂直方向に曲げられ、１／４波長板１２を介して対物レンズ１３に入射され、該対物レンズ１３により収束されてディスクＤに照射される。
【００３２】
ここで、対物レンズ１３は入射面に回折格子（図示せず）を有しており、この回折格子と対物レンズ１３自体の非球面形状による屈折との兼ね合いによりＤＶＤ及びＣＤの波長
の異なる各レーザー光に対して各ディスクの記録再生に適した所期の特性が発揮されるようになっている。この場合、ＤＶＤに適合する第１レーザー光を平行光により所定領域で入射し、ＣＤに適合する第２レーザー光を所定の拡がり角により所定領域で入射してそれぞれＤＶＤ及びＣＤの記録再生に適したＮＡ及び収差補正されたレーザースポットが得られるように所期の特性が発揮される。
【００３３】
ディスクＤの信号面により変調されて反射された第２レーザー光は対物レンズ１３に戻り、１／４波長板１２及び立ち上げミラー１１を介してビームスプリッター１０に戻され、該ビームスプリッター１０のフィルタ面１０ａで反射され、１／２波長板１８、液晶レンズ１７を介して更にダイバージェントレンズ１６を介して受発光ユニット２に戻される。
【００３４】
この受発光ユニット２に戻されたレーザービームは、ホログラム素子４により光軸が曲げられて光検出器３に受光される。
【００３５】
前記光検出器３は、ディスクＤにより反射された第２レーザー光を複数の受光領域に分割された受光面に受光して、ＣＤの記録信号、フォーカシング制御信号及びトラッキング制御信号を生成するのに必要な各種受光出力を前記複数の各受光領域から発生する。フロントエンド処理回路２１は、それらの受光領域の各受光出力を演算処理してＣＤの記録信号、フォーカシング制御信号及びトラッキング制御信号を生成する。
【００３６】
尚、液晶レンズ１７は液晶配列により位相変化度合いを同心円状に段階的に変化させて小さいパワーであるがレンズ作用を持たせる設計が施されている。
【００３７】
ここで、後述するフォーカスサーボ系の説明の為にディスク構造の概略について説明する。
【００３８】
図２はＤＶＤ−Ｒ／ＤＶＤ＋Ｒ及びＣＤ−ＲのＲ系記録ディスクの断面構造を模式的に示す説明図であり、ＤＶＤ−Ｒ／ＤＶＤ＋Ｒの場合は半面ディスクの２枚の貼り合わせ構造であるが、その半面ディスク１枚のみを示す形となっている。
【００３９】
図２に示す如く、Ｒ系記録ディスクは光ピックアップ装置からのレーザー光が入射される入射面側から順に透明基板層５１、記録層５２、反射層５３及び保護層５４が積層される構造となっている。
【００４０】
図３はＤＶＤ及びＣＤの再生専用ディスクの断面構造を模式的に示す説明図であり、ＤＶＤの場合は半面ディスクの２枚の貼り合わせ構造であるが、その半面ディスク１枚のみを示す形となっている。
【００４１】
図３に示す如く、再生専用ディスクは光ピックアップ装置からのレーザー光が入射される入射面側から順に透明基板層５５、反射層５６及び保護層（ＤＶＤの貼り合わせディスクの場合、スペース層）５７が積層される構造となっており、前記反射層５６にピット及びランドによりメインデータ信号が記録されている。
【００４２】
図４（ａ），（ｂ），（ｃ）はそれぞれ相違する方式のレーベル層付き記録ディスクの断面構造を模式的に示す説明図であり、ＤＶＤ−Ｒ／ＤＶＤ＋Ｒの例を示しており、相違する構造の半面ディスクを２枚の貼り合わせた構造となっている。
【００４３】
図４（ａ），（ｂ），（ｃ）に示す如く、レーベル層を備える記録ディスクは光ピックアップからのレーザー光が入射される入射面側から順に第１透明基板層５８、記録層５９
、反射層６０、第１保護層６１、接着剤層６２、第２透明基板層６３、レーベル層６４及び第２保護層６５が積層される構造となっており、各層の並び順は同じである。
【００４４】
しかしながら、各方式のレーベル層付き記録ディスクは、それぞれ図４（ａ），（ｂ），（ｃ）に示す如く、レーベル層６４の位置が異なっており、記録層５９を基準としたレーベル層６４までの距離がそれぞれｄ１，ｄ２，ｄ３となっている。
【００４５】
図２及び図４において、記録層５２，５９は有機色素により構成され、この記録層５２，５９には位置情報データが記録されたプリフォーマット信号がウォブルによって形成されており、レーザー光が収束されて照射されることにより発生する熱により有機色素が分解されて記録ピットが形成されてメインデータ信号が記録される。
【００４６】
また、図２乃至図４において、反射層５３，５６，６０はディスクに入射されるレーザー光が光検出器１５，３により受光される光強度が十分になるように設けられており、図３に示す再生専用ディスクの場合、反射層５６にメイン情報信号を記録した記録ピットが形成されている。
【００４７】
また、図４において、反射層６０は半透明となっていると共に、接着剤層６２は透明となっており、入射面側から入射されるＣＤ用レーザー光がレーベル層６４に到達され、レーベル層６４はＣＤ用レーザー光が収束されて照射されることにより発生する熱に感熱作用を有する感熱剤により構成され、あるいはレーベル層６４はＣＤ用レーザー光の波長に感光する感光作用を有する感光剤により構成され、感熱剤や感光剤の変色作用によって可視画像が形成される。
【００４８】
次に、図１のレーベル情報記録装置の再生系回路を説明する。
【００４９】
フロントエンド処理回路２１は、ＤＶＤ系の光検出器１５の所定の受光領域から得られる各受光出力を受けて光ピックアップ用ＤＶＤ系各種制御信号、すなわち、フォーカシング制御信号、トラッキング制御信号、及びチルト制御信号を生成し、前記ＤＶＤ系各種制御信号をサーボ回路２２に供給する。該サーボ回路２２は記録あるいは再生するディスクの種別を示すディスク識別信号に対応して受け入れる前記ＤＶＤ系各種制御信号を選択すると共に、その選択される前記ＤＶＤ系各種制御信号に対してディスク種別に応じてそれぞれ適切なイコライザ設定に切り換えられ、ディスク種別に対応する適切なフォーカスサーボ、トラッキングサーボ及びチルトサーボを実行させる各種サーボ信号を発生する。
【００５０】
一方、フロントエンド処理回路２１は、ＣＤ系の光検出器３の所定の受光領域から得られる各受光出力を受けて光ピックアップ用ＣＤ系各種制御信号、すなわち、フォーカシング制御信号及びトラッキング制御信号を生成し、前記ＣＤ系各種制御信号をサーボ回路２２に供給する。該サーボ回路２２は記録あるいは再生するディスク識別信号に対応して受け入れるＣＤ系各種制御信号を選択すると共に、その選択されるＣＤ系各種制御信号に対してディスク種別に応じてそれぞれ適切なイコライザ設定に切り換えられ、ディスク種別に対応する適切なフォーカスサーボ及びトラッキングサーボを実行させる各種サーボ信号を発生する。
【００５１】
サーボ回路２２からの各種サーボ信号はアクチュエータドライバ２３に供給され、対物レンズ１３のアクチュエータ（図示せず）を駆動する各駆動信号となってそれぞれ前記アクチュエータのフォーカスコイル、トラッキングコイル及びチルトコイルの各種駆動コイル２４の対応する駆動コイルに供給される。その為、前記アクチュエータの動作により対物レンズ１３がフォーカスサーボ信号に基づいてフォーカス方向に、トラッキングサーボ信号に基づいてトラッキング方向に、チルトサーボ信号に基づいてラジアルスキュー方向
に駆動される。
【００５２】
また、フロントエンド処理回路２１は、ＤＶＤ系光検出器１５の所定受光領域の各受光出力を演算処理してＤＶＤの記録信号であるＲＦ信号、及びＣＤ系光検出器３の所定受光領域の各受光出力を演算処理してＣＤの記録信号であるＲＦ信号をそれぞれ２値化して後段のエンコード／デコード回路３０に供給する。
【００５３】
２値化されたＤＶＤのＲＦ信号は、エンコード／デコード回路３０のＤＶＤデコーダ部３１により対応するＤＶＤ規格のデータフォーマットに基づく変調コード及び誤り訂正符号に応じてデコード処理が行われる。因みに、ＤＶＤ規格は変調コードとしてＥＦＭ−Ｐｌｕｓ（８−１６変調）を採用し、誤り訂正符号としてＲＳ（Reed-Solomon） Product-Codeが採用している。
【００５４】
一方、２値化されたＣＤのＲＦ信号は、エンコード／デコード回路３０のＣＤデコーダ部３２により対応するＣＤ規格のデータフォーマットに基づく変調コード及び誤り訂正符号に応じてデコード処理が行われる。因みに、ＣＤ規格は変調コードとしてＥＦＭ（Eight to Fourteen Modulation）を採用し、誤り訂正符号としてＣＩＲＣ（Cross Interleaved Reed-Solomon Code）を採用している。
【００５５】
更に、フロントエンド処理回路２１は、ＤＶＤ及びＣＤの記録ディスクのプリフォーマット信号、すなわちＤＶＤ−Ｒ／ＲＷのマイナス系ＤＶＤの場合においてウォブル・ランドプリピット、ＤＶＤ＋Ｒ／ＲＷのプラス系ＤＶＤ及びＣＤ−Ｒ／ＲＷのＣＤの場合においてグルーブウォブルを含んだ光検出器１５あるいは光検出器３からの所定の受光出力をウォブル検出回路２５に供給する。
【００５６】
ウォブル検出回路２５はプリフォーマット信号からウォブル（Wobble）信号を抽出し、そのウォブル信号は記録ディスクがＤＶＤの場合にＬＰＰ／ＡＤＩＰデコーダ２６によりデコード処理され、記録ディスクがＣＤの場合にＡＴＩＰデコーダ２７によりデコード処理される。前記ＬＰＰ／ＡＤＩＰデコーダ２６は、マイナス系ＤＶＤのＬＰＰ（Land Pre-Pit）及びウォブルをデコード処理するＬＰＰデコード部と、プラス系ＤＶＤのＡＤＩＰ(Address In Pre-Groove)をデコード処理するＡＤＩＰデコード部とから構成される。ＬＰＰデコード部においてはＬＰＰ及びウォブルにより、ＡＤＩＰデコード部においてはウォブルのみによりそれぞれ同期検出を行い、アドレス情報を取得し、また、このアドレス情報に同期した記録を行わせるための記録タイミング信号を生成させる基となるアドレス信号を発生する。
【００５７】
一方、ＡＴＩＰデコーダ２７は、ＣＤのＡＴＩＰ(Absolute Time In Pre-Groove)をデコード処理し、ウォブルにより同期検出を行い、アドレス情報を取得し、また、このアドレス情報に同期した記録を行わせるための記録タイミング信号を生成させる基となるアドレス信号を発生する。
【００５８】
ところで、各種記録ディスクのウォブルには所定領域にディスクの製造メーカーやディスク種別等の識別情報が含まれており、この識別情報は制御用ＣＰＵ（Central Processing Unit）２８内に備えられるディスク判別機能部２９により復号される。
【００５９】
次に、図１のレーベル情報記録装置の記録系回路を説明する。
【００６０】
パソコン等のホスト装置３３からインタフェース３４を介して入力される生データは、メモリ管理回路３５の管理下で必要に応じてバッファＲＡＭ３６に一時記憶され、エンコーダ／デコーダ回路３０に供給される。
【００６１】
記録ディスクへの記録を行う際には使用する記録ディスクの種別、あるいは使用者の選択に応じて制御用ＣＰＵ２８によりＤＶＤエンコーダ部３７、あるいはＣＤエンコーダ部３８のいずれかが選択されてデータが転送され、選択されたエンコーダ部が動作される。
【００６２】
その為、記録ディスクがＤＶＤの場合、あるいはＣＤであっても使用者がＤＶＤデータの記録を選択した場合、ＤＶＤエンコーダ部３７によりＤＶＤ規格のデータフォーマットに基づくエンコード処理が行われ、そのデータフォーマットに則ったデータ構造のＤＶＤデータが生成される。一方、記録ディスクがＣＤの場合、あるいはＤＶＤであっても使用者がＣＤデータの記録を選択した場合、ＣＤエンコーダ部３８によりＣＤ規格のデータフォーマットに基づくエンコード処理が行われ、そのデータフォーマットに則ったデータ構造のＣＤデータが生成される。
【００６３】
ＤＶＤエンコーダ部３７、あるいはＣＤエンコーダ部３８により生成されたＤＶＤデータ、あるいはＣＤデータは記録のタイミングでライトストラテジ回路３９にシリアルに転送され、このライトストラテジ回路３９は転送されたシリアルデータに基づいて駆動パルス生成回路４０を制御し、該駆動パルス生成回路４０によりＤＶＤデータ、あるいはＣＤデータに基づくと共に、最適なピットをディスクに形成させるための波形の駆動パルスを生成させる。
【００６４】
駆動パルス生成回路４０により生成される駆動パルスは、スイッチ回路４１により選択された第１レーザードライバアンプ４２及び第２レーザードライバアンプ４３の一方に供給され、選択されたレーザードライバアンプにより電流信号の駆動パルスとして出力される。そして、その電流信号の駆動パルスは、重畳用ＯＳＣ（oscillator）４４から発生される高周波信号が加算されてＤＶＤ系の第１レーザーダイオード１ａ、あるいはＣＤ系の第２レーザーダイオード２ａに供給される。
【００６５】
前記スイッチ回路４１は制御用ＣＰＵ２８のディスク判別機能部２９により識別されたディスク種別に応じて切り換えられ、ＤＶＤ系の記録ディスクの場合に第１レーザードライバアンプ４２が選択され、ＣＤ系の記録ディスクの場合に第２レーザードライバアンプ４３が選択される。
【００６６】
一方、重畳用ＯＳＣ４４は、ライトストラテジ回路３９及び制御用ＣＰＵ２８に応じて発振タイミングが制御されると共に、ディスク種別及び記録速度に対応して振幅及び発振周波数が設定される高周波信号を発生する。
【００６７】
尚、スイッチ回路４１、第１レーザードライバアンプ４２、第２レーザードライバアンプ４３及び重畳用ＯＳＣ４４はレーザードライバＩＣ４５内に備えられている。
【００６８】
上述した図１に示す構成のレーベル情報記録装置において、レーベル情報記録を行う際には図５及び図６のフローチャートに示す処理が行われる。
【００６９】
レーベル情報記録の前工程処理としてディスク判別処理が行われる（ステップＺ）。このディスク判別処理は、ディスク判別機能２９により行われ、周知のディスク判別方法が用いられ、例えば、一方のレーザーダイオードを用いてレーザー光の焦点位置をフォーカス方向に移動せしめるフォーカスサーチにより得られるフォーカスエラー信号のピーク値が閾値を超えた否かを実行し、あるいは特開２０００−１７３１６３号公報に示される如く、任意のレーザーダイオードを用いてフォーカスサーチ実行時のフォーカスエラー信号の単位時間当たりの変化量の最大値が基準値を超えた否かを実行する。
【００７０】
このディスク判別処理によりＤＶＤかＣＤかが判別され（ステップａ）、このディスク判別に応じて制御用ＣＰＵ２８によってスイッチ回路４１が切り換えられ、ＤＶＤであると判別された場合、第１レーザードライバアンプ４２が選択され、一方、ＣＤであると判別された場合、第２レーザードライバアンプ４３が選択される。
【００７１】
ＤＶＤであると判別された場合、駆動パルス生成回路４０から出力される再生駆動パルスが第１レーザードライバアンプ４２に供給され、ＤＶＤ系の第１レーザーダイオード１ａが再生レベルで駆動されることによりこの第１レーザーダイオード１ａから出射されるＤＶＤ用レーザー光を用いたディスク読み取りによりウォブル検出回路２５によりディスクのウォブル検出が行われ、ＬＰＰ／ＡＤＩＰデコーダ２６を介してメディアコードが抽出され、このメディアコードが制御用ＣＰＵ２８内のＲＯＭにあらかじめ記憶されるメディアコードデータを基にディスク判別機能２９により何処の製造メーカーの如何なる種別のディスクに属するかが復号され（ステップｂ）、ディスク判別機能２９によりレーベル情報記録可能なレーベル層付きディスクか否かが判別される（ステップｃ）。
【００７２】
レーベル層付きではないディスクであると判別されると、その旨を示すデータが制御用ＣＰＵ２８によりインタフェース３４を介してホスト装置３３に供給され、ホスト装置３３に備える表示装置（図示せず）によりレーベル情報記録が不可であることが表示され（ステップｄ）、レーベル情報記録が取り止められる。
【００７３】
一方、レーベル層付きディスクであると判別されると、制御用ＣＰＵ２８によって第２レーザードライバアンプ４３が選択されるようにスイッチ回路４１が切り換えられ、第２レーザードライバアンプ４３によりＣＤ系の第２レーザーダイオード２ａが再生レベルで駆動され、ＣＤ用レーザー光を用いたフォーカスサーチ動作によりディスク層の判別がディスク判別機能２９により行われる（ステップｅ）。
【００７４】
このディスク層の判別は、例えば特開平９−２６５７２２号公報に示される如く、フォーカスエラー信号のＳ字カーブのピーク値及びピーク回数を検出してディスクの層構造を検知することにより行われる。ここで、ＤＶＤの記録層側から入射されるＣＤ用レーザー光がレーベル層に約４０％到達することが確認されているので、記録層側からＣＤ用レーザー光によりフォーカスサーチを行うと、レーベル層での反射光量により十分な信号レベルのフォーカスエラー信号が得られ、ディスク層の判別が確実に行える。
【００７５】
このディスク層の判別によりレーベル層付きＤＶＤ記録ディスクが図４（ａ），（ｂ），（ｃ）のいずれの断面構造であるか判明する。すなわち、図４（ａ），（ｂ），（ｃ）の相違する各方式のレーベル層付き記録ディスクは、記録層５９（あるいは反射層６０）とレーベル層６４との間隔がそれぞれ相違するので、これらの間隔の相違をフォーカスサーチによるレーザー光の焦点を移動させる速度を一定とし、そのフォーカスサーチの際に記録層５９（あるいは反射層６０）とレーベル層６４とでそれぞれ表れるフォーカスエラー信号のＳ字カーブのピーク値の時間的な間隔を検出することにより図４（ａ），（ｂ），（ｃ）のいずれのディスクであるかを判別する。
【００７６】
このディスク層の判別により記録層側からレーベル層にレーザー光を照射することを想定しているデュアル対応のＤＶＤでないと判断された場合（ステップｆ）、その判断データが制御用ＣＰＵ２８によりインタフェース３４を介してホスト装置３３に供給され、ホスト装置３３に備える表示装置（図示せず）によりディスク裏返し指示が行われ（ステップｇ）、図６に示すディスク裏返し処理へ移行する（ステップｈ）。
【００７７】
ディスク層の判別によりデュアル対応のＤＶＤであると判断された場合（ステップｆ）、再度フォーカスサーチを行い（ステップｉ）、レーベル層６４にＣＤ用レーザー光を合
焦させるべくフォーカスサーボ導入する（ステップｊ）。その後、レーベル情報データに応じてＣＤ系の第２レーザーダイオード２ａを駆動してＣＤ用レーザー光によりレーベル層５４にレーベル情報記録を行う（ステップｋ）。
【００７８】
レーベル層５４へのＣＤ用レーザー光のフォーカスサーボ導入は所定時間試みられ（ステップｌ）、それでもフォーカスサーボ導入を失敗した場合は、レーベル情報記録の実行が中止され、その旨がホスト装置３３に供給され、ホスト装置３３に備える表示装置によりレーベル情報記録エラーが表示される（ステップｍ）。
【００７９】
ところで、ＣＤ用レーザー光によりレーベル情報記録が行われる状態において、レーベル層６４に記録する可視画像（文字含む）に対応するレーベル情報データがホスト装置３３により生成され、そのレーベル情報データはインタフェース３４を介してバッファＲＡＭ３６経由でＣＤエンコーダ部３８に供給される。
【００８０】
ＣＤエンコーダ部３８は供給されるレーベル情報データをエンコード処理し、ＣＤ規格のデータフォーマットに則ったデータ構造のＣＤ変調レーベル情報データを生成する。このＣＤ変調レーベル情報データはライトストラテジ回路３９に供給され、ライトストラテジ回路３９はレーベル層６４の記録特性を考慮してあらかじめ設定された最適記録波形の駆動パルスを生成させるべく駆動パルス生成回路４０を制御する。そして、駆動パルス生成回路４０により生成される駆動パルスはスイッチ回路４１の切り換えにより第２レーザードライバアンプ４３に供給され、第２レーザードライバアンプ４３からの出力信号に必要に応じて重畳用発振回路４４から発生される高周波信号が重畳されるレーザー駆動信号によりＣＤ系の第２レーザーダイオード２ａが駆動される。この結果、ディスクのレーベル層６４にＣＤ変調レーベル情報データに基づく記録マークが形成されて可視画像が記録されることになる。
【００８１】
図５のステップａにおいて、ディスク判別処理の結果ＤＶＤでなくＣＤであると判断された場合、制御用ＣＰＵ２８によってスイッチ回路４１が切り換えられ、第２レーザードライバアンプ４３が選択される。その為、駆動パルス生成回路４０から出力される再生駆動パルスが第２レーザードライバアンプ４３に供給され、ＣＤ系の第２レーザーダイオード２ａが再生レベルで駆動されることによりこの第２レーザーダイオード２ａから出射されるＣＤ用レーザー光を用いたディスク読み取りによりウォブル検出回路２５によりディスクのウォブル検出が行われ、ＡＴＩＰデコーダ２７を介してメディアコードが抽出され、このメディアコードが制御用ＣＰＵ２８内のＲＯＭにあらかじめ記憶されるメディアコードデータを基にディスク判別機能２９により何処の製造メーカーの如何なる種別のディスクに属するかが復号され（ステップｎ）、ディスク判別機能２９によりレーベル情報記録可能なレーベル層付きディスクか否かが判別される（ステップｏ）。
【００８２】
レーベル層付きではないディスクであると判別されると、その旨を示すデータが制御用ＣＰＵ２８によりインタフェース３４を介してホスト装置３３に供給され、ホスト装置３３に備える表示装置によりレーベル情報記録が不可であることが表示され（ステップｄ）、レーベル情報記録が取り止められる。
【００８３】
一方、レーベル層付きディスクであると判別されると、その判断データが制御用ＣＰＵ２８によりインタフェース３４を介してホスト装置３３に供給され、ホスト装置３３に備える表示装置によりディスク裏返し指示が行われ（ステップｇ）、図６に示すディスク裏返し処理へ移行する（ステップｈ）。
【００８４】
ディスクドライブに設置されるディスクを裏返すべくディスクトレイを開閉すると、図６のディスク裏返し処理が実行される。ホスト装置３３によりディスク設置ＯＫ指令を入
力すると（ステップｐ）、ディスク判別処理時（図５のステップＺ）に制御用ＣＰＵ２８内のＲＡＭに記憶されたディスク種別データに基づいてディスク種別に対応するレーザー光を発光するべくスイッチ回路４１が切り換えられてその選択されたレーザー光によりレーベル層６４のフォーカスサーチが行われる（ステップｑ）。
【００８５】
すなわち、ＤＶＤと判別されている場合には、スイッチ回路４１により第１レーザードライバアンプ４２が選択され、第１レーザードライバアンプ４２によりＤＶＤ系の第１レーザーダイオード１ａが再生駆動信号で駆動され、再生レベルに駆動されるＤＶＤ用レーザー光によりフォーカスサーチが行われ、一方、ＣＤと判別されている場合には、スイッチ回路４１により第２レーザードライバアンプ４３が選択され、第２レーザードライバアンプ４３によりＣＤ系の第２レーザーダイオード２ａが再生駆動信号で駆動され、再生レベルに駆動されるＣＤ用レーザー光によりフォーカスサーチが行われる。
【００８６】
このフォーカスサーチによりレーベル層６４にレーザー光を合焦させるべくフォーカスサーボ導入する（ステップｒ）。その後、ＤＶＤと判別されている場合には、ＤＶＤ系の第１レーザーダイオード１ａを駆動してレーベル情報データに応じてＤＶＤ用レーザー光によりレーベル層６４にレーベル情報記録を行い、ＣＤと判別されている場合には、ＣＤ系の第２レーザーダイオード２ａを駆動してレーベル情報データに応じてＣＤ用レーザー光によりレーベル層６４にレーベル情報記録を行う（ステップｓ）。
【００８７】
このようにディスク種別に対応したレーザー光によりレーベル情報記録を行っており、レーベル層６４の感応（感光、感熱）に適していると予想される波長のレーザー光により前記レーベル層６４への書き込みが行われるようになっている。すなわち、レーベル層６４に使用される感応材料の物質によりレーザー光の波長に対する感光感度が変化する波長依存性があり、あるいはレーザー光の波長によって絞り径が変化するので、レーベル層６４への書き込みを行うのに適した波長のレーザー光が存在し、この場合、ディスク種別に対応した波長のレーザー光を用いることによる種々の方式のレーベル層付きディスクへのレーベル情報記録に対応させながら、適合する可能性の高い波長のレーザー光によりレーベル層６４への書き込みを行わせている。
【００８８】
レーベル層６４へのフォーカスサーボ導入は所定時間試みられ（ステップｔ）、それでもフォーカスサーボ導入を失敗した場合は、レーベル情報記録の実行が中止され、その旨がホスト装置３３に供給され、ホスト装置３３に備える表示装置によりレーベル情報記録エラーが表示される（ステップｕ）。
【００８９】
ところで、図１に示すレーベル情報記録装置はデュアル対応のＤＶＤのレーベル層６４にレーベル情報記録を行う場合、ディスクの記録層５９側からレーベル層６４にＣＤ用レーザー光を照射すると共に、ＣＤ記録系回路を使用し、ＤＶＤ系の第１レーザーダイオード１ａが使用されないと共に、ＤＶＤ記録系回路が余っている。その為、ＣＤエンコーダ部３８にホスト装置３３からレーベル情報データを送信させると共に、ＤＶＤエンコーダ部３７にホスト装置３３からメインデータを送信させてメインデータとレーベル情報データとを時分割に送信し、駆動パルス生成回路４０により出力される駆動パルスがメインデータに対応するかレーベル情報データに対応するかによってスイッチ回路４１を切り換え、時分割にＤＶＤ系の第１レーザーダイオード１ａを記録層５９に対する記録レベルで駆動すると共に、ＣＤ系の第２レーザーダイオード２ａをレーベル層６４に対する記録レベルで駆動することにより記録層５９へのメインデータの記録を行いながら、時分割でレーベル層６４への記録を行える。
【００９０】
また、レーベル情報記録時には、ＤＶＤ系の第１レーザーダイオード１ａが別途使用可能であると共に、ＤＶＤ再生系回路が別途使用可能である。その為、メインデータが記録
済みのレーベル情報記録対応ＤＶＤの場合、メインデータの記録の代わりにメインデータを再生しながら、時分割でレーベル層６４への記録を行える。
【００９１】
ここで、記録層５９へのメインデータの記録を行いながら、時分割でレーベル層６４への記録を行う場合、メインデータの記録時にはＤＶＤ用レーザー光を記録層５９に合焦させ、レーベル情報記録時にはＣＤ用レーザー光をレーベル層６４に合焦させる必要がある。
【００９２】
また、記録層５９からのメインデータを再生しながら、時分割でレーベル層６４への記録を行う場合、メインデータの再生時にもＤＶＤ用レーザー光を記録層５９に合焦させ、レーベル情報記録時にはＣＤ用レーザー光をレーベル層６４に合焦させる必要がある。
【００９３】
通常、駆動するレーザードライバアンプに応じてＤＶＤ用レーザー光及びＣＤ用レーザー光を時分割でそれぞれ記録層５９及びレーベル層６４に合焦させるべくフォーカス制御する。
【００９４】
一方、図１の回路においては、第１レーザーダイオード１ａ及び第２レーザーダイオード２ａを同時に駆動した際にＤＶＤ用レーザー光及びＣＤ用レーザー光をそれぞれＤＶＤの記録層及びレーベル層にそれぞれ同時に合焦されるようにすることも可能である。
【００９５】
ＤＶＤのフォーカスサーボ系を動作させ、ＤＶＤ用レーザー光をＤＶＤの記録層５９に合焦するように対物レンズ１３を駆動し、フォーカスサーボを行うと、ＤＶＤとＣＤとでは相違するレーザー光の波長に起因して、及び記録層までの透明基板の厚みの相違に基づいた光学設計に起因して定位置にある対物レンズ１３により収束されるＤＶＤ用レーザー光とＣＤ用レーザー光の焦点距離が相違するので、ＤＶＤへの記録再生を行うＤＶＤのフォーカスサーボ状態において、ＣＤ用レーザー光の合焦点はＤＶＤ用レーザー光の合焦点より遠い位置となる。
【００９６】
そして、光路長調整回路４６から発生される光路長調整信号に応じて液晶ドライバ４７を動作させ、液晶レンズ１７を凹レンズとして作用されるようにすることによりＣＤ用レーザー光の合焦点とＤＶＤ用レーザー光の合焦点との距離が拡大され、図４（ａ）のディスクにおいて、ＤＶＤ用レーザー光がＤＶＤの記録層５９に合焦する状態で、ＣＤ用レーザー光の合焦点がＤＶＤのレーベル層６４の標準位置に合致される、すなわち、第１レーザーダイオード１ａ及び第２レーザーダイオード２ａを同時に駆動した際にＤＶＤ用レーザー光及びＣＤ用レーザー光をそれぞれＤＶＤの記録層５９及びレーベル層６４にそれぞれ同時に合焦されるようになる。
【００９７】
このようにすることにより、ＤＶＤ系フォーカスサーボにより記録層５９へのメインデータの記録、あるいは記録層５９からのメインデータの再生を行いながら、時分割でレーベル層６４への記録を行う際に、ＤＶＤ用レーザー光及びＣＤ用レーザー光を時分割でそれぞれ記録層５９及びレーベル層６４にフォーカス制御する必要がなくなる。
【００９８】
また、ＤＶＤ用レーザー光及びＣＤ用レーザー光をそれぞれＤＶＤの記録層５９及びレーベル層６４にそれぞれ同時に合焦させるようにした場合、ライトストラテジ３９及び駆動パルス生成回路４０に同時に動作可能なＤＶＤ系及びＣＤ系の２系統を設け、スイッチ回路４１を削除して第１レーザードライバアンプ４２及び第２レーザードライバアンプ４３に駆動パルス生成回路４０により生成される駆動パルスが同時に供給される回路構成とすれば、記録層５９へのメインデータの記録を行いながら、同時にレーベル層６４への記録を行うことが出来る。
【００９９】
尚、レーベル情報記録はメインデータ記録ほど高精細である必要がないので、許容範囲内のフォーカスズレによりＣＤ用レーザー光のスポット径が大きくなっても実用可能である。
【０１００】
また、ＤＶＤ用レーザー光及びＣＤ用レーザー光をそれぞれＤＶＤの記録層５９及びレーベル層６４にそれぞれ同時に合焦されるようにする場合、受発光ユニット２内の光検出器３により受光される所定の受光出力を用いてフロントエンド処理回路２１によりＣＤ用レーザー光のレーベル層６４とのフォーカスエラー信号を生成し、このフォーカスエラー信号に基づいて光路長調整回路４６により液晶ドライバ４７を制御して前記フォーカスエラー信号を「０」に近づけるように凹レンズ作用のパワー強度を変化させるべく液晶レンズ１７を駆動する。これにより液晶レンズ１７によりＤＶＤ用レーザー光のＤＶＤの記録層５９へのフォーカス制御と独立してＣＤ用レーザー光をレーベル層６４にフォーカス制御することが出来る。
【０１０１】
このＣＤ用レーザー光のレーベル層６４へのフォーカス制御は、液晶レンズ１７内の液晶素子の反応速度を考慮して液晶レンズ１７の凹レンズ作用のパワー強度をディスクごとに設定すれば、ディスクの面振れへの対応が出来なくてもディスクごとの厚み誤差のばらつきに対応させることが出来、液晶レンズ１７の凹レンズ作用のパワー強度をディスクの記録再生位置の径方向の所定位置ごとに設定すれば、ディスクの径方向におけるディスクのそりに対応させることが出来る。
【図面の簡単な説明】
【０１０２】
【図１】本発明の一実施例を示す光ピックアップ装置における光学系及びフォーカスサーボ系を示すブロック図である。
【図２】Ｒ系記録ディスクの断面構造を説明する説明図である。
【図３】再生専用ディスクの断面構造を説明する説明図である。
【図４】記録可能なレーベル層を備える記録ディスクを説明する説明図である。
【図５】レーベル情報記録の主要処理を示すフローチャートである。
【図６】ディスクを裏返してレーベル情報記録を行う際の処理を示すフローチャートである。
【符号の説明】
【０１０３】
１        レーザーユニット
１ａ      第１レーザーダイオード
２        受発光ユニット
２ａ      第２レーザーダイオード
４        ホログラム素子
１３        対物レンズ
１５        光検出器
１７        液晶レンズ
２１        フロントエンド処理回路
２２        サーボ回路
２５        ウォブル検出回路
２８        制御用ＣＰＵ
２９        ディスク判別機能
３０        エンコード／デコード回路
３３        ホスト装置
３７        ＤＶＤエンコーダ部
３８        ＣＤエンコーダ部
３９        ライトストラテジ
４０        駆動パルス生成回路
４１        スイッチ回路
４２        第１レーザードライバアンプ
４３        第２レーザードライバアンプ
５９        記録層
６４        レーベル層
【図１】
2006196062.tif 000003
【図２】
2006196062.tif 000004
【図３】
2006196062.tif 000005
【図４】
2006196062.tif 000006
【図５】
2006196062.tif 000007
【図６】
2006196062.tif 000008